(57)【特許請求の範囲】
【請求項１】
塗布面と把持布を具えた化粧用コットンと、該化粧用コットンを保持する保持台と柄とからなるコットンホルダーであって、
保持台は、化粧用コットンの把持布を挟持する基板と挟持板とからなり、
前記基板は、その中央部に開口を穿孔し、基板の後板部から開口内に延び、上面に突起を突設した突出板を延設しており、
前記挟持板は、突出板の周縁を囲むよう配置された押え板と、傾斜板を具えており、
柄は、しなり部と把持部とを具えていることを特徴とする化粧用コットンホルダー。
【請求項２】
保持台の基板は、その中央部に開口を穿孔し、
挟持板は、開口より小形とし、開口内で変形可能となっており、下面に爪状突起を突設していることを特徴とする請求項１記載の化粧用コットンホルダー。
【請求項３】
挟持板は、基板の後端の両側にヒンジを介して連結されており、その上面に膨出部を設けた係止片を突設しており、
基板は、挟持板の係止片が係合される嵌挿孔が穿孔されていることを特徴とする請求項１記載の化粧用コットンホルダー。
【請求項４】
柄のしなり部が、階段状に延びる屈曲板であることを特徴とする請求項１〜３のいずれかに記載の化粧用コットンホルダー。
【請求項５】
柄のしなり部が、横方向に延びる凹溝が刻設された板体であることを特徴とする請求項１〜３のいずれかに記載の化粧用コットンホルダー。
【請求項６】
柄のしなり部が、端縁までの間隔が等しくなるよう配設された多数の円孔を穿孔した板体であることを特徴とする請求項１〜３のいずれかに記載の化粧用コットンホルダー。
【請求項７】
柄は、保持台に連接され、先端を取付板とした基台と、取付板に対して直交する取付板を具えた把手とからなり、
それぞれの取付板の先端に二又を形成し、それぞれの二又が相手方の取付板を挟持するようにしたことを特徴とする請求項１〜３のいずれかに記載の化粧用コットンホルダー。
【発明の詳細な説明】
【０００１】
【発明の属する技術分野】
本発明は、化粧用コットンホルダーに関する。
【０００２】
【発明が解決しようとする課題】
ウェブ状中綿をシルクライク素材の不織布で包み込み、不織布の折り返し部を把持布とした化粧用コットンは、従来より使用されている。
化粧用コットンの使用にあたって、把持布と中綿の間に手指を差し込み、塗布面に化粧液を付け、肌面を軽く叩いてパッティングしたり、なでつけたりして塗布していた。
【０００３】
しかしながら、化粧用コットンに手指を差込んだ時に、指の大きさに応じ把持布と中綿の間が拡げられ、塗布面が狭められるという問題があった。
また、差込んだ手指を拡げて、把持布を破損するということもあった。
【０００４】
また、手指に傷があるとき、化粧用コットンに付けた化粧液で手指の傷を傷めることもあって使用できないこともあった。
化粧用コットンの化粧液が手指に付着し、付着した化粧液、とくに香料などを落とすために手指をていねいに洗わなければならなかった。
【０００５】
本発明は、上記の問題を解決することを課題として、化粧用コットンを、その把持布を挟持して簡単に取付けられるようにしたコットンホルダーを提供することを目的とする。
【０００６】
【課題を解決するための手段】
本発明は、上記の課題を解決するため、化粧用コットンホルダーとして、塗布面と把持布を具えた化粧用コットンと、該化粧用コットンを保持する保持台と柄とからなるコットンホルダーであって、保持台は、化粧用コットンの把持布を挟持する基板と挟持板とからなり、前記基板は、その中央部に開口を穿孔し、基板の後板部から開口内に延び、上面に突起を突設した突出板を延設しており、前記挟持板は、突出板の周縁を囲むよう配置された押え板と、傾斜板を具えており、柄は、しなり部と把持部とを具えていることを特徴とする構成を採用する。
【０００７】
保持台の第２の実施形態として、保持台の基板は、その中央部に開口を穿孔し、挟持板は、開口より小形とし、開口内で変形可能となっており、下面に爪状突起を突設していることを特徴とする構成を採用する。
【０００８】
保持台の第３の実施形態として、挟持板は、基板の後端の両側にヒンジを介して連結されており、その上面に膨出部を設けた係止片を突設しており、基板は、挟持板の係止片が係合される嵌挿孔が穿孔されていることを特徴とする構成を採用する。
【０００９】
柄の具体的な実施形態として、柄のしなり部が、階段状に延びる屈曲板であることを特徴とする構成を採用する。
【００１０】
柄の他の実施形態として、柄のしなり部が、横方向に延びる凹溝が刻設された板体であることを特徴とする構成、または、柄のしなり部が、端縁までの間隔が等しくなるよう配設された多数の円孔を穿孔した板体であることを特徴とする構成を採用する。
【００１１】
また、把手と基台を着脱自在とした柄として、柄は、保持台に連接され、先端を取付板とした基台と、取付板に対して直交する取付板を具えた把手とからなり、
それぞれの取付板の先端に二又を形成し、それぞれの二又が相手方の取付板を挟持するようにしたことを特徴とする構成を採用する。
【００１２】
【発明の実施の形態】
次に、本発明の第１実施形態のコットンホルダーについて、図面を参照して説明する。
図１において、Ａはコットンホルダー、Ｂは化粧用コットンである。
コットンホルダーＡは、合成樹脂を素材として成形され、化粧用コットンＢを保持する保持台Ａ１と柄Ａ２とからなっている。
【００１３】
図２，３に示すように、保持台Ａ１は、多角形の基板１と挟持板２とからなっている。
基板１には、四角形の開口３が穿孔され、差込み端となる前板部４、両側の側板部５ａ，５ｂ、および柄Ａ２を連接する三角形状の後板部６が形成されている。
後板部６には、開口３内に延びる突出板７が連設されており、該突出板７の先端部には、円錐台状の突起８が突設されている。
【００１４】
挟持板２は、両側の押え板９ａ，９ｂと、押え板９ａ，ｂの先端を連結する傾斜板１０とからなっており、押え板９ａ，ｂは、挟持板２に突出板７の外形よりやや大きくしたくり抜き部１１を切欠くことによって、突出板７の両側に配設されている。
押え板９ａ，ｂの後端部は、基板１の後板部６の端縁部の上面に連設され、押え板９ａ，ｂの下面と後板部６上面は面一となっており、突出板７の突起８は、押え板９の上面よりやや突出するようになっている。
【００１５】
図４に示すように、基板１の裏面には、突出板７も含めて多数の突起１２が一定の間隔をおいて突設されている。
【００１６】
図２，３に示すように、柄Ａ２は、しなり部１５を設けた基台１６と、該基台１６に取着された把手１７とからなっている。
基台１６は、保持台Ａ１と一体成形され、基板１の後端に続く半円状の連結部１８と、該連結部１８に続き階段状に延びるように形成された薄肉の屈曲板１９と、厚肉の取付板２０とからなっている。
屈曲板１９は、上下方向に容易に変形可能となっており、柄Ａ２のしなり部１５を形成している。
【００１７】
図５に示すように、取付板２０の先端には二又２１ａ，２１ｂが形成され、二又２１ａ，２１ｂのそれぞれの先端には、内方に突出する鈎２２が設けられている。
二又２１ａ，２１ｂの後方には、取付板２０の上下面に側端縁に沿って、上面に一対の位置規制用の突起２３ａ、下面に位置規制用の突起２３ｂが設けられており、上下面の中央部には突起２３ａ、突起２３ｂの後方に把手１７の抜け止め用の凹溝２４ａが設けられている。
【００１８】
把手１７は、厚肉の板状体によって形成され、基台１６の取付板２０に直交するように配設されている。
把手１７の先端部の表面には、多数の凸模様、凸条等が全面に刻設され、すべり止め２５が設けられている。
【００１９】
把手１７の基端は取付板２６となっており、その先端には二又２７ａ，２７ｂが形成され、二又２７ａ，２７ｂのそれぞれの先端には、内方に突出する鈎２８が設けられている。
二又２７ａ，２７ｂの後方には、取付板２６の上下の端縁に沿って、両側に突出する突起２９ａ，２９ｂが突設されており、取付板２６の両側面の中央部には、突起２９ａ，２９ｂの後方に抜け止め用の凹溝２４ｂが設けられている。
【００２０】
柄Ａ２の基台１６と把手１７との結合は、取付板２０の二又２１ａ，ｂに対して把手１７の二又２７ａ，ｂが交叉するように差込み、それぞれの二又２１，２７の底部同士が結合するまで押し込まれる。
そのときには、把手１７の二又２７ａ，ｂの鈎２８は上下から取付板２０を挟持するとともに凹溝２４ａに係合して位置決めされ、取付板２０の二又２１ａ，ｂの鈎２２は、把手１７の左右から取付板２６を挟持するとともに、凹溝２４ｂに係合して位置決めされる。
【００２１】
そして、取付板２０の位置規制用の突起２３ａ，ｂによって、把手１７の左右のぶれが防止され、取付板２６の上下の突起２９ａ，ｂによって上下のぶれが防止されるようになっている。
【００２２】
上記実施例では抜け止め用の凹溝２４ａ，２４ｂを、基台１６と把手１７の両方に設けているが、どちらか一方のみに設けてもよい。
【００２３】
図６に示すように、化粧用コットンＢは、公知のものと同様に、角形のウェブ状の中綿３０をシルクライク素材の不織布３１で包み込んだもので、不織布３１を折り返して中綿３０を挟み込み、再度折り返して中綿３０を包み込んで、不織布３１をその始端部分３１ａの上に重ね合わせ、中綿３０の両側で接着して接合部３２を形成している。
【００２４】
重ね合わせた表側の不織布３１によって把持布３３が形成され、その反対側の不織布３１は塗布面３１ｂとなっている。
把持布３３と中綿３０、不織布始端部分３１ａとの間にコットンホルダーＡの袋状の差込み部３４が形成されている。
【００２５】
次に、本実施形態のコットンホルダーの使用態様と作用効果について説明する。
化粧用コットンホルダーは、把手１７を基台１６に取付けて、コットンホルダーＡを組み立て、図１に示すように、該コットンホルダーＡに化粧用コットンＢを装着することによって得られる。
【００２６】
使用時には、装着した化粧用コットンＢの塗布面３１ｂに化粧液を滴下して塗布し、コットンホルダーＡの柄Ａ２を持って化粧液を肌面に塗布する。
【００２７】
化粧用コットンＢのコットンホルダーＡへの装着にあたっては、保持台Ａ１の挟持板２を、その傾斜板１０を指先で引っかけて持ち上げ、基板１を化粧用コットンＢの把持布３３と中綿３０との間の差込み部３４に挿入し、基板１と挟持板２の間で把持布３３を挟むようにして、基板１を差込み部３４の奥まで押込む。次いで、挟持板２の傾斜板１０より手を離すと、基板１と挟持板２によって、中綿３０の把持布３３が挟持される。
【００２８】
その際、把持布３３が、基板１の突出板７と両側の押え板９ａ，ｂとの間で突出板７の円形の突起８によって押し上げられることによって係止され、また、基板１の下面の突起１２が、中綿３０と不織布３１の表面に係合するので、化粧用コットンＢは、保持台Ａ１からずり落ち、取り外れるようなことはない。
【００２９】
化粧用コットンＢの肌面への塗布にあたっては、基板１によって化粧用コットンＢが広げられ、塗布面３１ｂを広く使うことができ、また、柄Ａ２のしなり部１５が上下方向に撓むので、化粧用コットンＢは、常に一定の押圧力を持って肌面に接触させることができる。
そのため、肌面を軽く叩くパッティング、なでつけによる化粧液の塗布をソフトに行うことができる。
【００３０】
化粧用コットンＢを肌面に押し当て、なでつける場合には、基板１の裏面に設けた多数の突起１２が中綿３０を介して塗布面にも影響を与え、肌面に化粧液を塗布しながらマッサージすることもできる。
【００３１】
使用後には、挟持板２を持ち上げると、把持布３３の挟持が解かれ、化粧用コットンＢを簡単に取外すことができ、柄Ａ２の把手１７を取付板２０から外すと、柄Ａ２の基台１６を連接した保持台Ａ１と把手１７をコンパクトにしまっておくことができる。
【００３２】
上記実施形態では、把手１７を柄Ａ２の基台１６と別体としているが、把手１７の部分を基台１６から延長させて柄Ａ２の把持部とし、保持台Ａ１と柄Ａ２を一体成形してもよい。
その場合、柄Ａ２を二つに分離できなくなるが、化粧用コットンの装着、使用時の作用効果は、実施形態のものと変わらない。
【００３３】
次に、第２実施形態のコットンホルダーについて、図面を参照して説明する。図７，８において、Ａａはコットンホルダーであって、保持台Ａ１ａと柄Ａ２ａとからなり、合成樹脂を素材として一体成形されている。
【００３４】
保持台Ａ１ａは、基板４０と挟持板４１とからなり、基板４０には、中央部に開口４２が設けられており、前記第１実施形態と同様に前板部４３と側板部４４ａ，ｂと後板部４５が形成されており、基板４０の裏面には、多数の突起４６が突設されている。
【００３５】
挟持板４１は、押え板４７とその先端に設けられた傾斜板４８とからなり、開口４２より縮小された四角形となっている。
押え板４７の基端部は、基板４０の後板部４５の上面に連接されており、その下面は、先端が下がるように傾斜している。
図８，９に示すように、押え板４７の裏面に複数の爪状突起４９が突設されており、爪状突起の爪先４９ａは、基板４０の下面と面一となっている。
【００３６】
図７に示すように、柄Ａ２ａは、保持台Ａ１ａの基板４０の後板部４５に連接され、しなり部５０と把持部５１とを具えている。
しなり部５０は、上面に巾方向に延びる凹溝５２を刻設した薄肉の板体５３によって形成されている。
把持部５１は、連結杆５４を介してしなり部５０に接続され、水平方向に広がる厚肉の板状体に形成され、把持部５１の表面には、すべり止め５５として多数の凸模様、凸条等が全面に刻設されている。
【００３７】
次に、本実施形態のコットンホルダーＡａの使用時の作用効果について説明する。
化粧用コットンＢのコットンホルダーＡａへの装着にあたっては、挟持板４１の傾斜板４８を持って上方に持ち上げ、基板４０を化粧用コットンＢの把持布３３と中綿３０との間の差込み部３４に挿入し、基板４０と挟持板４１との間で、把持布３３を挟むようにして、基板４０を差込み部３４の奥まで押し込み、次いで、挟持板４１の傾斜板４８より手を離すと、図１０に示すように、挟持板４１が復元して基板４０と挟持板４１との間に把持布３３が挟持される。
【００３８】
その際、挟持板４１は、その先端が下方に傾斜し、爪状突起４９の爪先４９ａが、基板４０の下面と面一となっているので、把持布３３は爪状突起４９によって不織布３１の始端部分３１ａの上面に押圧され、基板４０の側板部４４ａ，ｂと挟持板４１との間でしっかりと把持される。
そして、塗布にあたっては、前記第１実施形態の作用効果と同様の作用効果を得ることができる。
【００３９】
次に、第３実施形態のコットンホルダーについて、図面を参照して説明する。図１１において、Ａｂはコットンホルダーであり、保持台Ａ１ｂと柄Ａ２ｂとからなり、合成樹脂を素材として成形されている。
図１１〜１３に示すように、保持台Ａ１ｂは、基板６０と基板６０にヒンジ６１を介して連接された一対の挟持板６２とを具えている。
基板６０の後端縁中央部には、柄取付板６３が延設されており、側端縁と後端縁から所定の間隔をおいて嵌挿孔６４が穿孔されている。
基板６０の裏面には、多数の突起６５が一定の間隔をおいて突設されている。
【００４０】
挟持板６２は、基板６０の後端縁の両側に、柄取付板６３との間に一定の間隔をおくようにして、ヒンジ６１を介して連接されており、その表面には、基板６０の嵌挿孔６４に係合する、上面に膨出部６６を設けた係止片６７が立設されている。
挟持板６２の端部には、垂直板６８ａと水平板６８ｂとからなる把持部６９が連接されている。
【００４１】
柄Ａ２ｂは、基板６０の柄取付板６３に連接されており、しなり部７０と把持部７１とを具えている。
しなり部７０は、多数の円孔７２を長手方向に穿孔した板体７３によって形成され、円孔７２の円周と板体７３の端縁との間の間隔が全ての円孔７２についてほぼ同一であり、また、隣り合う円孔７２同士の円周の間の間隔はほぼ同一としている。
【００４２】
板体７３に円孔７２を穿孔し、円孔７２と板体７３の端縁との間が著しく狭くなっていることによって、可撓性が付与されている。
把持部７１は、しなり部７０に軸杆を介して連接され、下面に波形の凹凸７４が設けられ、表面にはゴムその他の軟材質のカバーによって被覆されている。
【００４３】
次に、本実施形態の使用時の作用効果について説明する。
化粧用コットンＢのコットンホルダーＡｂへの装着にあたっては、基板６０を把持布３３と中綿３０との間の差込み部３４に挿入し、奥まで押し込む。
次いで、挟持板６２を廻動させて係止片６７を把持布３３を通じて嵌挿孔６４に嵌挿して、図１４に示すように、把持布３３を挟持板６８と基板６０との間に挟持する。
【００４４】
その際、把持布３３は、嵌挿孔６４に嵌挿した係止片６７によって確実に係止されるので、ずり落ちることはない。
肌面への塗布は、前記各実施形態と同様に行われ、同様の作用効果を得ることができる。
【００４５】
前記各実施形態において、保持台と柄の構造として特定のものについて説明したが、前記各実施形態における柄は、それぞれ、他の実施形態の保持台に連接できるものであるから、それぞれの保持台と柄は、適宜組合せすることができる。
【００４６】
また、柄の別実施例として、図１５に示すような柄を用いることもできる。
図において、Ａ１ｃは保持台、Ａ２ｃは保持台Ａ１ｃに連接された柄である。柄Ａ２ｃは、連結部８０と細い軸杆８１と把持部８２とからなり、軸杆８１は可撓性を有し、しなり部を形成するもので、各実施形態のしなり部と同等の作用効果を有するものである。
【００４７】
【発明の効果】
本発明は、上記のように構成されているから、次の効果を奏する。
化粧用コットンにコットンホルダーを差込み、柄を握って塗布できるようにしたから、手指が化粧用コットンに付着した化粧液に触れずに使用できる。
【００４８】
基板と挟持板によって、化粧用コットンの把持布を挟持するようにしているから、化粧用コットンが、コットンホルダーにしっかりと装着され、挟持板の取扱いも簡単であるので、化粧用コットンの装着、取外しも容易にできる。
【００４９】
柄部にしなり部を設けているから、化粧用コットンが肌面に一定の接触圧をもって、ソフトに接触させることができる。
そのため、軽く叩くパッティング、なでつけによる化粧液の塗布がソフトに行うことができ、なでつけ時には、肌面をマッサージすることもできる。
【００５０】
コットンホルダーは、保持台と柄が一体成形されているから、コストを安価におさえて製造できる。
【図面の簡単な説明】
【図１】本発明の化粧用コットンホルダーの斜視図である。
【図２】コットンホルダーの斜視図である。
【図３】コットンホルダーの保持台の縦断面図である。
【図４】保持台裏面の斜視図である。
【図５】  柄の連結部分を説明する分解斜視図である。
【図６】  化粧用コットンの説明図で、（ａ）は斜視図、（ｂ）は縦断面図である。
【図７】  第２実施形態のコットンホルダーの斜視図である。
【図８】  コットンホルダーの保持台の縦断面図である。
【図９】  保持台裏面の斜視図である。
【図１０】  化粧用コットンを装着した時の斜視図である。
【図１１】  第３実施形態のコットンホルダーの斜視図である。
【図１２】  コットンホルダーの保持台の挟持板を閉じたときの縦断面図である。
【図１３】  保持台裏面の斜視図である。
【図１４】  化粧用コットンを装着した時の斜視図である。
【図１５】  柄の別実施例の斜視図である。
【符号の説明】
Ａ、Ａａ、Ａｂ                コットンホルダー
Ａ１、Ａ１ａ、Ａ１ｂ、Ａ１ｃ  保持台
Ａ２、Ａ２ａ、Ａ２ｂ、Ａ２ｃ  柄
Ｂ                      化粧用コットン
１、４０、６０          基板
２、４１、６２          挟持板
３、４２                開口
６、４５                後板部
７                      突出板
８、１２、４６、６５    突起
９ａ，ｂ、４７          押え板
１０、４８              傾斜板
１５、５０、７０        しなり部
１６                    基台
１７                    把手
１９                    屈曲板
２０                    取付板
２１ａ，ｂ、２７ａ，ｂ  二又
２２、２８              鈎
２３ａ，ｂ、２９ａ，ｂ  突起
２４ａ，ｂ、５２        凹溝
３０                    中綿
３１                    不織布
３１ａ                  始端部分
３１ｂ                  塗布面
３２                    接合部
３３                    把持布
３４                    差込み部
４９                    爪状突起
５１、７１、８２        把持部
５３、７３              板体
６１                    ヒンジ
６３                    柄取付板
６４                    嵌挿孔
６６                    膨出部
６７                    係止片
６９                    把持部
８０                    連結部
８１                    軸杆
【図１】
0004141733.tif 000002
【図２】
0004141733.tif 000003
【図３】
0004141733.tif 000004
【図４】
0004141733.tif 000005
【図５】
0004141733.tif 000006
【図６】
0004141733.tif 000007
【図７】
0004141733.tif 000008
【図８】
0004141733.tif 000009
【図９】
0004141733.tif 000010
【図１０】
0004141733.tif 000011
【図１１】
0004141733.tif 000012
【図１２】
0004141733.tif 000013
【図１３】
0004141733.tif 000014
【図１４】
0004141733.tif 000015
【図１５】
0004141733.tif 000016